(57)【要約】【課題】放送される番組の内容及びその番組を受信する装置側にとって最適な映像表示設定や音声出力の設定を実現する。【解決手段】本発明のデジタルＴＶ７は、放送局２よりテレビ番組として放送されるコンテンツを受信するチューナ部２１と、コンテンツの番組内容及びデジタルＴＶ７本体の仕様に対応するように予め定めたパラメータ情報１６をインターネット５を介して番組情報配信サーバ３より取得するコントローラ３６と、取得されたパラメータ情報１６に基づいて、コンテンツの映像出力及び音声出力の設定を行う映像出力・音声出力設定部２８とを備える。【選択図】図３
2008301299.tif 000002
【特許請求の範囲】
【請求項１】
放送局よりテレビ番組として放送されるコンテンツを受信するコンテンツ受信部と、
前記コンテンツの番組内容及びクライアント側の装置に対応するように予め定めたパラメータ情報をネットワークを介してサーバより取得するパラメータ取得部と、
前記パラメータ取得部により取得された前記パラメータ情報に基づいて、前記コンテンツ受信部により受信された前記コンテンツの映像出力及び／又は音声出力の設定を行う設定部と、
を具備することを特徴とするコンテンツ再生装置。
【請求項２】
前記クライアント側の装置である当該コンテンツ再生装置は、仕様の異なる複数の機種が存在し、かつ、映像出力及び／又は音声出力の設定用として推奨される推奨設定値とプリセット番号とを対応付けて記憶する前記機種ごとに固有の機種対応付けテーブルをさらに備え、
前記パラメータ取得部は、前記パラメータ情報としてプリセット番号を前記サーバより取得し、
前記設定部は、前記サーバより取得されたプリセット番号に対応する前記機種対応付けテーブル内の推奨設定値を用いて設定を行う、
ことを特徴とする請求項１記載のコンテンツ再生装置。
【請求項３】
前記パラメータ情報は、同一の番組の放送時間全体を細分化した所定の時間間隔単位で、情報の内容に補正が加えられていることを特徴とする請求項１又は２記載のコンテンツ再生装置。
【請求項４】
前記コンテンツ受信部により受信されたコンテンツを録画する録画処理部と、
前記録画処理部により録画されたコンテンツに対応する前記パラメータ情報を当該コンテンツに対応付けて記憶する録画対応付けテーブルと、
前記録画処理部により録画されたコンテンツを再生する再生処理部と、
をさらに備え、
前記設定部は、前記再生処理部による再生対象のコンテンツに対応した前記録画対応付けテーブル内のパラメータ情報に基づいて、当該再生されるコンテンツの映像出力及び／又は音声出力の設定を行う、
ことを特徴とする請求項１ないし３のいずれか１項に記載のコンテンツ再生装置。
【請求項５】
前記録画処理部を少なくとも備える録画機器と画像を可視的に表示する表示デバイスを少なくとも備える画像表示機器とを組み合わせて構成されることを特徴とする請求項４記載のコンテンツ再生装置。
【請求項６】
前記パラメータ情報には、番組内の映像シーンにおける動きの速度の大小に応じた画質調整を可能とする設定項目の情報が含まれていることを特徴とする請求項１ないし５のいずれか１項に記載のコンテンツ再生装置。
【請求項７】
ネットワークを介して互いに接続されたコンテンツ再生装置とサーバとを備えるコンテンツ処理システムであって、
前記サーバが、
放送局よりテレビ番組として放送されるコンテンツの番組内容及び前記コンテンツ再生装置に対応するように予め定めたパラメータ情報を記憶するパラメータ記憶部と、
前記パラメータ記憶部に記憶された前記パラメータ情報を前記ネットワークを介して送信する送信部と、を備え、
前記コンテンツ再生装置が、
前記送信部により送信される前記パラメータ情報を前記ネットワークを介して取得するパラメータ取得部と、
前記放送局より放送される前記コンテンツを受信するコンテンツ受信部と、
前記パラメータ取得部により取得された前記パラメータ情報に基づいて、前記コンテンツ受信部により受信された前記コンテンツの映像出力及び／又は音声出力の設定を行う設定部と、
を具備することを特徴とするコンテンツ処理システム。
【請求項８】
ネットワークを介して互いに接続されたコンテンツ再生装置とサーバとによるコンテンツ処理方法であって、
放送局よりテレビ番組として放送されるコンテンツの番組内容及び前記コンテンツ再生装置に対応するように予め定めたパラメータ情報を前記サーバが前記ネットワークを介して送信するステップと、
前記サーバより送信された前記パラメータ情報を前記コンテンツ再生装置が前記ネットワークを介して取得するステップと、
前記放送局より放送される前記コンテンツを前記コンテンツ再生装置が受信するステップと、
前記パラメータ取得部により取得された前記パラメータ情報に基づいて、前記コンテンツ再生装置が、前記受信されたコンテンツの映像出力及び／又は音声出力の設定を行うステップと、
を有することを特徴とするコンテンツ処理方法。
【発明の詳細な説明】
【技術分野】
【０００１】
本発明は、テレビ番組として放送されるコンテンツを処理するコンテンツ再生装置、コンテンツ処理システム及びコンテンツ処理方法に関する。
【背景技術】
【０００２】
テレビ番組として配信される映像には動きのあるもの、あるいは緻密なものなどさまざまな映像が含まれている。一般に販売されているテレビなどでは、映像の色表現等を調節するためのツマミなどが付いており、ある程度視聴者の好みに応じて変更できるようになっている。しかしながら、テレビ番組として配信されるこれら多岐に渡る映像を、その番組に最適な設定値に視聴者自身が適宜調整しながら視聴することは現実的とはいえない。
画質補正用の信号が埋め込まれた映像信号をテレビ番組の放送局側から受信し、この受信した信号に基づき再生画質の補正を行うことで、テレビ番組の内容に適した画質で映像を表示させることのできるテレビ受像機が知られている（例えば、特許文献１参照）。
【特許文献１】特開２００４−３４９９１３号公報
【発明の開示】
【発明が解決しようとする課題】
【０００３】
しかしながら、上記文献の技術では、前述したように、表示される映像の画質調整が、番組の内容に対しては適しているものの、当該画質調整は、テレビ受像機自体に対しては、必ずしも適正な調整であるとはいえない。すなわち、上記文献の技術では、テレビ受像機自体の仕様などに起因する特性（例えば表示デバイスの表示特性など）を加味した画質調整が行われているとはいえず、この点をも考慮した自動調整機能の実現が期待される。
【０００４】
そこで本発明は、上記課題を解決するためになされたもので、放送される番組の内容及びその番組を受信する装置側にとって最適な映像表示設定や音声出力の設定が実現されるコンテンツ再生装置、コンテンツ処理システム及びコンテンツ処理方法の提供を目的とする。
【課題を解決するための手段】
【０００５】
上記目的を達成するために、本発明は、放送局よりテレビ番組として放送されるコンテンツを受信するコンテンツ受信部と、前記コンテンツの番組内容及びクライアント側の装置に対応するように予め定めたパラメータ情報をネットワークを介してサーバより取得するパラメータ取得部と、前記パラメータ取得部により取得された前記パラメータ情報に基づいて、前記コンテンツ受信部により受信された前記コンテンツの映像出力及び／又は音声出力の設定を行う設定部と、を具備することを特徴とする例えばコンテンツ再生装置である。
【０００６】
本発明では、テレビ番組としてのコンテンツを受信するクライアント側のコンテンツ再生装置及び前記のコンテンツの番組内容に対応するように予め定めたパラメータ情報を、当該コンテンツ再生装置がサーバより取得し、この取得したパラメータ情報に基づいて、コンテンツ再生装置がコンテンツの映像出力や音声出力を適正な状態に自動設定することが可能である。
【発明の効果】
【０００７】
したがって、本発明によれば、放送される番組の内容及びその番組を受信する装置側にとって最適な映像表示設定や音声出力の設定が実現されるコンテンツ再生装置、コンテンツ処理システム及びコンテンツ処理方法を提供することができる。
【発明を実施するための最良の形態】
【０００８】
以下、本発明を実施するための最良の形態を図面に基づき説明する。
［第１の実施の形態］
図１は、本発明の第１の実施形態に係るコンテンツ処理システム１の構成を概略的に示す図であり、図２は、このコンテンツ処理システム１が備える番組情報配信サーバ３の構成を示す機能ブロック図である。また、図３は、図１のコンテンツ処理システム１が備えるデジタルＴＶ（テレビジョン）７の構成を示す機能ブロック図であり、さらに、図４は、図２の番組情報配信サーバ３により配信されるパラメータ情報１６の内容を示す図である。
【０００９】
図１に示すように、コンテンツ処理システム１は、番組情報配信サーバ３と、この番組情報配信サーバ３にインターネット５などのネットワーク（及びルータ８）を介して接続されたクライアントとしてのデジタルＴＶ７とを備える。コンテンツ再生装置として機能するデジタルＴＶ７は、放送局２よりテレビ番組として放送されるコンテンツをアンテナ９を通じて受信する。放送局２は、例えばＭＰＥＧ−２ ＴＳなどのトランスポートストリーム形式のコンテンツを放送波に載せて送信する。なお、放送局２は、ケーブルを通じてテレビ番組を放送するケーブルテレビ局などであってもよい。また、上記のデジタルＴＶに代えてプロジェクタをコンテンツ再生装置として適用することも可能である。
【００１０】
番組情報配信サーバ３は、図２に示すように、デジタルＴＶ７との間での情報のやり取りの際の通信制御を行う送受信部１４と、各種情報を記憶する記憶部１５と、各部を統括的に制御する制御部１２とから構成される。番組情報配信サーバ３は、例えば、デジタルＴＶ７の製造元の運営するサービスサイトなどである。番組情報配信サーバ３の記憶部１５には、放送局２から放送される番組内容及びデジタルＴＶ７本体に対応するように予め定めたパラメータ情報１６を記憶する。後に詳述するこのパラメータ情報１６は、デジタルＴＶ７専用の映像表示設定や音声出力の設定を行う構成部分に対する推奨設定値が、番組ごとに割り当てられたかたちで構成されている。また、制御部１２は、送受信部１４を介してデジタルＴＶ７からのパラメータ情報１６の送信要求を受信した場合に、このパラメータ情報１６をデジタルＴＶ７側に送信（配信）する。
【００１１】
図３に示すように、デジタルＴＶ７は、例えば再生専用のテレビジョン装置であって、上記アンテナ９、チューナ部２１、逆多重化部２２、再生処理部２３、バス２０、映像復号部２４、音声復号部２５、音声データ処理部３０、例えばステレオ対応のスピーカ３３、映像データ処理部２６、映像出力・音声出力設定部２８、表示デバイスとしてのモニタ３４、リモコン（リモートコントローラ）３７、リモコンインタフェース部３８、ネットワーク接続部３９、フラッシュＲＯＭ（ＥＥＰＲＯＭ）３５、並びに各部を統括的に制御するコントローラ３６を備える。
【００１２】
リモコンインタフェース部３８は、ユーザが入力操作を行う電源ボタンやチャンネル切替ボタンなどを有するリモコン３７とのインタフェース部である。コンテンツ受信部として機能するチューナ部２１は、アンテナ９からそれぞれ取り込まれる例えばデジタルの放送波から所望の放送波（放送局）を選局する。なお、デジタル放送の放送波は、アンテナから取り込まれるものに限らず、上記したケーブルテレビ局などからケーブルを介して取り込まれるものであってもよい。
【００１３】
逆多重化部２２は、放送波に多重化された音声信号、映像信号（及び字幕用のテキストデータ）をそれぞれ分離して音声復号部２５、映像復号部２４へそれぞれ出力する。再生処理部２３は、音声復号部２５及び映像復号部２４を制御し、逆多重化部２２にて分離されたコンテンツを再生（デコード）する。具体的には、音声復号部２５は、逆多重化部２２で分離された音声信号を復号し復号したデジタル音声信号を音声データ処理部３０へ出力する。（テキストの復号部としての機能をも有する）映像復号部２４は、逆多重化部２２で分離された映像信号を復号し復号したデジタル映像信号（及びテキストデータ）を映像データ処理部２６へ出力する。
【００１４】
音声データ処理部３０及び映像データ処理部２６は、復号されたデジタル音声信号及びデジタル映像信号に対し、後述する所定の音声処理や画像処理を行う。音声データ処理部３０及び映像データ処理部２６の各最後段部分には、モニタ３４、スピーカ３３が各々接続されている音声出力端子３２及び映像出力端子２９が設けられている。
【００１５】
上述した映像データ処理部２６には、Ｉ／Ｐ変換回路２７ａや動特性改善回路２７ｂなどを備える画質改善回路２７が設けられている。画質改善回路２７は、番組内の映像シーンにおける動きの速度の大小、また例えばＨＤ（High Definition）映像やＳＤ（Standard Definition）映像といった放送波の解像度の違い、映像ソースの種類による画像フレーム数の違いなどに応じた映像データの高画質化処理の選択的な設定を可能とする。
【００１６】
すなわち、画質改善回路２７が有するＩ／Ｐ変換回路２７ａは、インタレース／プログレッシブ変換を実現するための処理部であって、偶数及び奇数フィールドにそれぞれ相当するインタレース信号どうしを合成してプログレッシブな映像信号としてのフレームを生成する。ここで、本実施形態のＩ／Ｐ変換回路２７ａは、例えば２倍の情報量を持つプログレッシブ映像への変換を行うことが可能であり、実質的に生成されるフレームの数を増加させ高画質化処理を行う。詳細には、Ｉ／Ｐ変換回路２７ａは、プログレッシブ変換時に得られるフレームと同一のフレームをコピーして生成したり、また、前後のフレームの関係からその中間の過渡的な動画像に相当するフレームを予測して新たに生成することで、動きの速い映像シーンに対しても一定以上の映像品質を確保することができる。
【００１７】
つまり、Ｉ／Ｐ変換回路２７ａは、映像シーンにおける動きの速度の大小に応じて、例えば、通常品質処理、中品質処理、高品質処理などを適宜設定することが可能である。Ｉ／Ｐ変換回路２７ａは、動きの速い映像シーンに対応させるために高品質処理が設定された場合、Ｉ／Ｐ変換時に生成されるフレームの数を２倍とし、中間の速さの映像シーンに対応させるために中品質処理が設定された場合、生成するフレームの数を１．５倍とし、動きの遅い映像シーンのための通常品質処理が設定された場合、生成するフレームの数を増加させない（１倍）とする処理を行う。
【００１８】
動特性改善回路２７ｂは、Ｉ／Ｐ変換回路２７ａと協働して動作し、このＩ／Ｐ変換回路２７ａによるＩ／Ｐ変換の際に例えば、動き検出を行い、プログレッシブ変換される画像に補正を加える。具体的には、動特性改善回路２７ｂは、動きの速い映像シーンに対応させるために高品質処理が設定された場合、処理対象のフレームの前後のフレームを参照した動き検出を行い、プログレッシブ変換される画像を補正する。また、動特性改善回路２７ｂは、中間の速さの映像シーンに対応させるために中品質処理が設定された場合、例えば、同一フレームの偶数、奇数フィールド間で、動き検出を行い画像を補正する。さらにまた、動特性改善回路２７ｂは、動きの遅い映像シーンのための通常品質処理が設定された場合、このような動き検出を伴わないプログレッシブ変換を実行させる。
【００１９】
ここで、動特性改善回路２７ｂ及びＩ／Ｐ変換回路２７ａによる設定の基準としては、番組のジャンルとして、静止画が多く動きの少ないニュース、速い動きがあまりないドラマ、スポーツの中でも動きの少ない相撲は、上記の通常品質処理が適している。また、スポーツの中で動きの比較的速い野球は、中品質処理が適しており、さらに、スポーツの中でも映像シーンの動きの激しいモータスポーツやサッカは、高品質処理が適している。
【００２０】
また、映像データ処理部２６は、上述したような映像出力の調整可能な項目以外に、さらに、次に挙げる映像出力の調整が可能となっている。つまり例えば、映像データ処理部２６は、画面設定として、スキャン方法（全ての受信チャンネルの番組の静止画面などをマルチウインドウ表示させるなどといった画面設定）、ズーム方法（画面の縦横比の変更などを伴う表示画面のズーム設定）、字幕表示の有無、字幕の表示位置の調整などが可能であり、また本質的な映像設定として、明るさ、コントラスト、色の濃さ、輪郭強調、色合いなどの調整が可能である。
【００２１】
一方、音声データ処理部３０は、例えば、左右のスピーカ音量のバランス調整、立体音響設定、低音/高音調整などを行うことが可能である。
【００２２】
次に、映像出力・音声出力設定部２８の機能及びその機能に関連するコントローラ３６の処理について説明する。この映像出力・音声出力設定部２８は、番組情報配信サーバ３より取得されたパラメータ情報１６に基づいて、受信したコンテンツ（番組）の映像出力及び音声出力の設定を行う。すなわち、映像出力・音声出力設定部２８は、映像データ処理部２６により調整可能な上述した画質改善回路２７を通じての通常／中／高品質処理の自動設定（自動調整）や明るさ、コントラストなどの映像出力に関する項目の自動設定、及び音声データ処理部３０により調整可能なバランスや低/高音などの音声出力に関する項目の自動設定を行う。
【００２３】
ここで、上記のパラメータ情報１６は、受信したコンテンツの番組内容及びクライアント側の装置である当該デジタルＴＶ７（デジタルＴＶ７の仕様などに）対応するように予め定められている。つまり、パラメータ情報１６は、放送される番組の内容及びその番組を受信する装置側にとって最適な映像表示設定や音声出力の設定が実現されるように構成されている。したがって、番組内容は、映画、スポーツ、音楽、ニュース、ドラマ、アニメなどにジャンル分けされ、さらにジャンル分けされた番組は、さらにその詳細な内容で分類される。例えば、画質改善回路２７の機能の説明個所で述べたように、同じスポーツの場合であっても、種目によって映像シーンの動きの速度などが大きく異なるため、スポーツは、野球、サッカ、相撲などに細分化される。つまり、パラメータ情報１６には、番組内の映像シーンにおける動きの速度の大小に応じた画質調整を可能とする設定項目の情報（言い換えれば、画質改善回路２７の通常／中／高品質処理を選択するための情報）が含まれている。したがって、上記のように分類された番組内容にとって適正な映像出力の設定や音声出力の設定に関する情報がパラメータ情報１６として構成されている。
【００２４】
また、パラメータ情報１６は、デジタルＴＶ７自体の仕様などに起因する特性、すなわちモニタ３４の表示特性や、スピーカ３３の出力特性などを加味（考慮）した情報内容で構成されている。すなわち、図４に例示するように、パラメータ情報１６は、デジタルＴＶ７専用の情報であると共に、番組（図４の例では、放送時間１７：００〜１９：００又は１９：００〜２０：００に放送されるチャンネル１／チャンネル３で放送される番組Ａ〜Ｄ）ごとに異なる内容（パラメータ値）で構成されている。ここで、本実施形態のパラメータ情報１６には、映像データ処理部２６及び音声データ処理部３０を通じて映像出力・音声出力設定部２８が行う映像出力及び音声出力の設定用として推奨される全ての設定項目の推奨設定値が埋め込まれている。
【００２５】
パラメータ取得部として機能するコントローラ３６は、パラメータ情報１６の送信要求を番組情報配信サーバ３に通知することで、番組情報配信サーバ３より返信されるパラメータ情報１６をダウンロードし、この取得したパラメータ情報１６をフラッシュＲＯＭ３５内に格納する。このフラッシュＲＯＭ３５内に格納されたパラメータ情報１６は、映像出力及び音声出力の設定時に映像出力・音声出力設定部２８により参照される。
【００２６】
次に、このように構成されたコンテンツ処理システム１によるコンテンツ処理方法について説明する。具体的には、デジタルＴＶ７における映像出力及び音声出力の自動設定方法について図５に示すフローチャートに基づき説明を行う。
【００２７】
すなわち、図５に示すように、デジタルＴＶ７のコントローラ３６は、ユーザによるリモコン３７を通じての入力操作により、デジタルＴＶ７の例えば電源ＯＮやチャンネルの切り替えを検出した場合（Ｓ１のＹＥＳ）、パラメータ情報１６がフラッシュＲＯＭ３５内に格納されているか否か、及び番組情報配信サーバ３上のパラメータ情報１６に更新があるか否かを検出する（Ｓ２）。
【００２８】
コントローラ３６は、パラメータ情報１６がフラッシュＲＯＭ３５内にないこと、又はパラメータ情報１６に更新があったことを検出した場合（Ｓ２のＹＥＳ）、番組情報配信サーバ３へパラメータ情報１６の送信要求を通知する（Ｓ３）。この後、コントローラ３６は、番組情報配信サーバ３より取得したパラメータ情報１６をフラッシュＲＯＭ３５内に保存する（Ｓ４）。
【００２９】
次に、（また、Ｓ２でＮＯの場合）コントローラ３６は、映像出力・音声出力設定部２８を制御し、この制御下で映像出力・音声出力設定部２８は、フラッシュＲＯＭ３５内に保存されているパラメータ情報１６を参照して、デジタルＴＶ７で選局されている番組（コンテンツ）の映像表示出力の設定及び音声出力の自動設定を行う（Ｓ５）。この後、設定された内容でモニタ３４に選局中の番組の映像が表示されると共にスピーカ３３から音声が出力される（Ｓ６）。
【００３０】
既述したように、本実施形態に係るコンテンツ処理システム１によれば、テレビ番組としてのコンテンツを受信するクライアント側のデジタルＴＶ７及びこのコンテンツの番組内容に対応するように予め定めたパラメータ情報１６を、当該デジタルＴＶ７が番組情報配信サーバ３より取得し、この取得したパラメータ情報１６に基づいて、デジタルＴＶ７が番組の映像出力の設定や音声出力の設定を適正な設定状態に自動調整することができる。これにより、放送される番組の内容及びその番組を受信する装置側にとって最適な映像表示設定や音声出力の設定が実現される。
【００３１】
［第２の実施の形態］
次に、本発明の第２の実施形態を図６〜図１２に基づき説明する。ここで、図６は、この実施形態に係るコンテンツ処理システム５１の構成を概略的に示す図であり、図７は、このコンテンツ処理システム５１が備える番組情報配信サーバ５３の構成を示す機能ブロック図である。また、図８は、このコンテンツ処理システム５１が備えるデジタルＴＶ５７ａ、５７ｂ…５７ｎの構成を示す機能ブロック図であり、図９は、図７の番組情報配信サーバ５３により配信されるパラメータ情報５６の内容を示す図である。
【００３２】
さらに、図１０は、図８のデジタルＴＶ５７ａ、５７ｂ…５７ｎが内蔵するフラッシュＲＯＭ３５に予め記憶された機種対応付けテーブル５５ａ、５５ｂ…５５ｎの内容を示す図である。また、図１１は、デジタルＴＶ５７ａ、５７ｂ…５７ｎの録画処理時の動作を示すフローチャートであり、図１２は、デジタルＴＶ５７ａ、５７ｂ…５７ｎの再生処理時の動作を示すフローチャートである。なお、図６〜図８おいて、図１〜図３に示した第１の実施形態のコンテンツ処理システム１に設けられていたものと同一の構成要素については、同一の符号を付与しその説明を省略する。
【００３３】
すなわち、この実施形態に係るコンテンツ処理システム５１は、第１の実施形態のコンテンツ処理システム５１が備えていた番組情報配信サーバ３及びデジタルＴＶ７に代えて、番組情報配信サーバ５３及びデジタルＴＶ５７ａ、５７ｂ…５７ｎを備える。番組情報配信サーバ５３は、図７及び図９に示すように、第１の実施形態のパラメータ情報１６と異なるパラメータ情報５６を記憶部１５内に記憶する。
【００３４】
図６及び図８に示すように、デジタルＴＶ５７ａ、５７ｂ…５７ｎは、互いに機種（仕様）が異なり、音声の出力特性が各々異なるスピーカ３３ａ、３３ｂ…３３ｎ及び映像の表示特性が各々異なるモニタ３４、３４ａ、３４ｂ…３４ｎを搭載している。また、デジタルＴＶ５７ａ、５７ｂ…５７ｎは、第１の実施形態のデジタルＴＶ７の再生処理部２３、リモコン３７及び映像出力・音声出力設定部２８に代えて、図８に示すように、録画再生処理部５２、リモコン４７、映像出力・音声出力設定部５９を備えると共に、外部記憶装置としてハードディスク装置５４を内蔵する。つまり、デジタルＴＶ５７ａ、５７ｂ…５７ｎは、再生機能に加え録画機能を有する。
【００３５】
すなわち、録画再生処理部５２は、チューナ部２１により受信された番組（コンテンツ）をハードディスク装置５４に録画すると共に、この録画された番組の再生を行うことが可能である。また、録画再生処理部５２は、録画された番組に対応する（番組情報配信サーバ５３より取得した）パラメータ情報５６を当該録画番組（コンテンツ）に対応付けて記憶させた録画対応付けテーブル５８を作成して、フラッシュＲＯＭ３５内に格納する。リモコン４７には、電源ボタン、チャンネル切替ボタンに加え、録画ボタン、再生ボタン、録画予約（録画時刻設定）ボタンなどを備える。また、映像出力・音声出力設定部５９は、録画再生処理部５２による再生対象の番組（コンテンツ）に対応した録画対応付けテーブル５８内のパラメータ情報に基づいて、当該再生される番組の映像出力及び音声出力の設定を行う。
【００３６】
ここで、本実施形態のパラメータ情報５６には、図９に示すように、映像出力及び音声出力の設定用の推奨設定値の情報はなく、プリセット番号が埋め込まれている。また、パラメータ情報は、同一の番組の放送時間全体を細分化した所定の時間間隔単位で、情報の内容に補正が加えられている。つまり、プリセット番号は、同一の番組を細分化した時間間隔ごとに埋め込まれている（図９では番組Ａ、Ｂを前半／後半の１時間ずつに分断した態様を例示している）。このようにパラメータ情報５６を細分化する理由としては、例えば番組が野球中継であって、夕方から夜間に差しかかる時間帯（１８：００前後などで）周囲の明るさが大きく変動し、これに伴い、例えば映像出力の適正な設定値が変動することが予め想定されるためである。
【００３７】
また、パラメータ情報５６は、図９に示すように、デジタルＴＶ５７ａ、５７ｂ…５７ｎにおける全機種共通の情報として用いられる。すなわち、機種の異なるデジタルＴＶ５７ａ、５７ｂ…５７ｎの各フラッシュＲＯＭ３５内には、図８及び図１０に示すように、映像出力及び音声出力の設定用として推奨される推奨設定値とパラメータ情報５６が持つプリセット番号とを対応付けて記憶する機種ごとに固有の機種対応付けテーブル５５ａ、５５ｂ…５５ｎが工場出荷時（デジタルＴＶの製造時）などに予め格納される。したがって、映像出力・音声出力設定部５９は、サーバより取得されたパラメータ情報５６内のプリセット番号に対応する機種対応付けテーブル５５ａ、５５ｂ…５５ｎ内の推奨設定値を用いて設定を行う。機種対応付けテーブル５５ａ、５５ｂ…５５ｎ内の推奨設定値は、デジタルＴＶ５７ａ、５７ｂ…５７ｎの個々の機種の仕様、つまり機種ごとに例えば異なるモニタ３４ａ、３４ｂ…３４ｎの表示特性や、スピーカ３３ａ、３３ｂ…３３ｎの音声出力特性などを考慮して予め定められている。
【００３８】
次に、このように構成されたコンテンツ処理システム５１のデジタルＴＶ５７ａ、５７ｂ…５７ｎの録画処理時及び再生処理時の動作を図１１及び図１２に基づき説明する。まず、録画処理について説明する。デジタルＴＶ５７ａ、５７ｂ…５７ｎのコントローラ３６は、図１１に示すように、ユーザによるリモコン３７の録画ボタンなどを通じての入力操作により、録画要求が発生したことを検出した場合（Ｓ１１のＹＥＳ）、例えば、番組情報配信サーバ３へパラメータ情報１６の送信要求を通知する（Ｓ１２）。この後、コントローラ３６は、番組情報配信サーバ５３よりパラメータ情報１６を取得し（Ｓ１３）、さらにハードディスク装置５４に番組の録画を行う共に、取得したパラメータ情報１６を録画番組に対応付けした録画対応付けテーブル５８をフラッシュＲＯＭ３５内に格納する（Ｓ１４）。
【００３９】
次に、再生処理について説明する。デジタルＴＶ５７ａ、５７ｂ…５７ｎのコントローラ３６は、図１２に示すように、ユーザによるリモコン３７の再生ボタンを通じての入力操作により、再生要求が発生したことを検出した場合（Ｓ２１のＹＥＳ）、フラッシュＲＯＭ３５内の録画対応付けテーブル５８を参照して、再生要求の対象となる録画番組に対応するパラメータ情報（プリセット番号）を検索する（Ｓ２２）。次に、コントローラ３６は、機種対応付けテーブル５５ａ、５５ｂ…５５ｎを参照して、パラメータ情報（プリセット番号）に対応する映像出力及び音声出力の設定用の全ての設定項目の推奨設定値を検索する（Ｓ２３）。
【００４０】
コントローラ３６は、検索された各推奨設定値を用いて、番組（コンテンツ）の映像表示出力の設定及び音声出力の設定を行う（Ｓ２４）。この後、設定された内容でモニタ３４に録画番組の映像が表示されると共にスピーカ３３から音声が出力される（Ｓ２５）。
【００４１】
このように、本実施形態に係るコンテンツ処理システム５１では、デジタルＴＶ５７ａ、５７ｂ…５７ｎの仕様及び主に録画番組の内容に対応するように定められたパラメータ情報１６に基づいて、当該録画番組の内容及びその録画再生を行う装置側にとって最適な映像表示設定や音声出力の設定が実現される。また、コンテンツ処理システム５１によれば、デジタルＴＶ５７ａ、５７ｂ…５７ｎの各機種で共通なプリセット番号をパラメータ情報５６に利用することで、機種別に情報を用意（配信）することなどが不要となる。
【００４２】
以上、本発明を第１、第２の実施の形態により具体的に説明したが、本発明はこれらの実施形態にのみ限定されるものではなく、その要旨を逸脱しない範囲で種々変更可能である。例えば、上述した実施形態では、本発明のコンテンツ再生装置をデジタルＴＶとして適用した形態を例示したが、これに代えて、図１３に示すように、図８の録画再生処理部５２を少なくとも備えるＨＤＤ・ＤＶＤレコーダなどの録画機器７９と画像を可視的に表示するモニタ（表示デバイス）を少なくとも備える画像表示機器（録画機能のないＴＶなど）７８とをＨＤＭＩ（登録商標）規格のＣＥＣ（Consumer Electronics Control）を利用して組み合わせたコンテンツ再生装置７７を本発明として適用することも可能である。
【００４３】
また、上述した第１、第２の実施の形態では、映像出力・音声出力設定部２８、５９が映像出力と音声出力との双方を自動設定するものであったが、映像出力及び音声出力のうちのいずれか一方だけを自動設定する設定部を設けてもよい。
【図面の簡単な説明】
【００４４】
【図１】本発明の第１の実施形態に係るコンテンツ処理システムを示す図。
【図２】図１のコンテンツ処理システムが備える番組情報配信サーバを示す機能ブロック図。
【図３】図１のコンテンツ処理システムが備えるデジタルＴＶの構成を示す機能ブロック図。
【図４】図２の番組情報配信サーバより配信されるパラメータ情報の内容を示す図。
【図５】図３のデジタルＴＶの動作を示すフローチャート。
【図６】本発明の第２の実施形態に係るコンテンツ処理システムを示す図。
【図７】図６のコンテンツ処理システムが備える番組情報配信サーバの構成を示す機能ブロック図。
【図８】図６のコンテンツ処理システムが備えるデジタルＴＶの構成を示す機能ブロック図。
【図９】図７の番組情報配信サーバより配信されるパラメータ情報の内容を示す図。
【図１０】図８のデジタルＴＶが内蔵するフラッシュＲＯＭに予め記憶された機種対応付けテーブルの内容を示す図。
【図１１】図８のデジタルＴＶの録画処理時の動作を示すフローチャート。
【図１２】図８のデジタルＴＶの再生処理時の動作を示すフローチャート。
【図１３】録画機器と画像表示機器とを組み合わせて構成したコンテンツ再生装置。
【符号の説明】
【００４５】
１，５１…コンテンツ処理システム、２…放送局、３，５３…番組情報配信サーバ、５…インターネット、１６，５６…パラメータ情報、７，５７ａ，５７ｂ〜５７ｎ…デジタルＴＶ、２３…再生処理部、２８、５９…映像出力・音声出力設定部、５２…録画再生処理部、２７…画質改善回路、３６…コントローラ、５５ａ、５５ｂ〜５５ｎ…機種対応付けテーブル、５８…録画対応付けテーブル。
【図１】
2008301299.tif 000003
【図２】
2008301299.tif 000004
【図３】
2008301299.tif 000005
【図４】
2008301299.tif 000006
【図５】
2008301299.tif 000007
【図６】
2008301299.tif 000008
【図７】
2008301299.tif 000009
【図８】
2008301299.tif 000010
【図９】
2008301299.tif 000011
【図１０】
2008301299.tif 000012
【図１１】
2008301299.tif 000013
【図１２】
2008301299.tif 000014
【図１３】
2008301299.tif 000015